(57)【要約】  本出願において開示されるのは、個人ホームページ表示方法および装置、端末、ならびにサーバである。方法は、サーバによって提供される個人ホームページユーザの現在のアクティビティ状態情報であって、現在のアクティビティテーマ画像または現在のアクティビティテーマビデオを含む現在のアクティビティ状態情報を受信するステップと、現在のアクティビティ状態情報を個人ホームページの背景領域に表示するステップと、を含む。本出願の実施形態を使用することによって、個人ホームページユーザの動的情報が、個人ホームページから直観的に学習され得る。閲覧している人は、個人ホームページユーザの動的状況について別のチャネルを用いて学習することを回避し、それによって、システムリソースを節約する。
2020503634.tif 000002
【特許請求の範囲】
【請求項１】
個人ホームページを表示する方法であって、
サーバによって提供される個人ホームページのユーザの現在のアクティビティ状態情報であって、現在のアクティビティテーマ画像または現在のアクティビティテーマビデオを含む現在のアクティビティ状態情報を受信するステップと、
前記現在のアクティビティ状態情報を前記個人ホームページの背景領域に表示するステップと、
を含む、方法。
【請求項２】
前記サーバによって提供され、前記現在のアクティビティ状態情報に結合されているリンクアドレスを受信するステップと、
前記現在のアクティビティ状態情報に対するビュー動作が検出されるときに、前記ビュー動作に基づいて、現在表示されている前記個人ホームページから前記リンクアドレスに対応するページに切り替えるステップと、
をさらに含む、請求項1に記載の方法。
【請求項３】
前記ビュー動作が、前記個人ホームページの前記背景領域に対するタップ動作またはタッチ動作である、請求項2に記載の方法。
【請求項４】
前記現在のアクティビティ状態情報を表すために使用されるテーマテキストを、前記個人ホームページのプロファイル画像領域外の特定位置に表示するステップをさらに含む、請求項1に記載の方法。
【請求項５】
個人ホームページを表示する方法であって、
実行状態にある各ローカルアプリケーションをモニタリングして、モニタリング結果を取得するステップと、
前記モニタリング結果に基づいて、個人ホームページのユーザの現在のアクティビティ状態情報であって、現在のアクティビティテーマ画像または現在のアクティビティテーマビデオを含む現在のアクティビティ情報を判断するステップと、
前記現在のアクティビティ状態情報をサーバに送信するステップと、
を含む、方法。
【請求項６】
前記モニタリング結果に基づいて、前記現在のアクティビティ状態情報に対応するリンクアドレスを判断するステップと、
前記対応するリンクアドレスを前記サーバに送信するステップと、
をさらに含む、請求項5に記載の方法。
【請求項７】
個人ホームページを表示する方法であって、
第1のユーザデバイスによって送信される個人ホームページのユーザの現在のアクティビティ状態情報であって、現在のアクティビティテーマ画像または現在のアクティビティテーマビデオを含む現在のアクティビティ情報を受信するステップと、
第2のユーザデバイスが、前記現在のアクティビティ状態情報を前記個人ホームページの背景領域に表示するように、前記現在のアクティビティ状態情報を第2のユーザに送信するステップと、
を含む、方法。
【請求項８】
前記第1のユーザデバイスによって送信され、前記現在のアクティビティ状態情報に対応するリンクアドレスを受信するステップと、
前記現在のアクティビティ状態情報を前記対応するリンクアドレスに結合するステップと、
結合された前記リンクアドレスを前記第2のユーザデバイスに送信するステップと、
をさらに含む、請求項7に記載の方法。
【請求項９】
第1のユーザデバイスによって送信される個人ホームページのユーザの現在のアクティビティ状態情報を前記受信するステップが、
前記個人ホームページの個人状態表示モードが有効であるとの判断に応答して、前記第1のユーザデバイスによって送信される前記個人ホームページの前記ユーザの前記現在のアクティビティ状態情報を受信するステップを含む、請求項7に記載の方法。
【請求項１０】
個人ホームページを表示する装置であって、
サーバによって提供される個人ホームページのユーザの現在のアクティビティ状態情報を受信するように構成される第1の受信ユニットであって、前記現在のアクティビティ状態情報が、現在のアクティビティテーマ画像または現在のアクティビティテーマビデオを含む、第1の受信ユニットと、
前記現在のアクティビティ状態情報を前記個人ホームページの背景領域に表示するように構成される、第1の表示ユニットと、
を備える、装置。
【請求項１１】
前記サーバによって提供され、前記現在のアクティビティ状態情報に結合されているリンクアドレスを受信するように構成される、第2の受信ユニットと、
前記現在のアクティビティ状態情報に対するビュー動作が検出されるときに、前記ビュー動作に基づいて、現在表示されている前記個人ホームページから前記リンクアドレスに対応するページに切り替えるように構成される、切り替えユニットと、
をさらに備える、請求項10に記載の装置。
【請求項１２】
前記ビュー動作が、前記個人ホームページの前記背景領域に対するタップ動作またはタッチ動作である、請求項11に記載の装置。
【請求項１３】
前記現在のアクティビティ状態情報を表すために使用されるテーマテキストを、前記個人ホームページのプロファイル画像領域外の特定位置に表示するように構成される、第2の表示ユニットをさらに備える、請求項10に記載の装置。
【請求項１４】
個人ホームページを表示する装置であって、
実行状態にある各ローカルアプリケーションをモニタリングして、モニタリング結果を取得するように構成される、モニタリングユニットと、
前記モニタリング結果に基づいて、個人ホームページのユーザの現在のアクティビティ状態情報であって、現在のアクティビティテーマ画像または現在のアクティビティテーマビデオを含む現在のアクティビティ状態情報を判断するように構成される、第1の判断ユニットと、
前記現在のアクティビティ状態情報をサーバに送信するように構成される、第1の送信ユニットと、
を備える、装置。
【請求項１５】
前記モニタリング結果に基づいて、前記現在のアクティビティ状態情報に対応するリンクアドレスを判断するように構成される、第2の判断ユニットと、
前記対応するリンクアドレスを前記サーバに送信するように構成される、第2の送信ユニットと、
をさらに備える、請求項14に記載の装置。
【請求項１６】
個人ホームページを表示する装置であって、
第1のユーザデバイスによって送信される個人ホームページのユーザの現在のアクティビティ状態情報であって、現在のアクティビティテーマ画像または現在のアクティビティテーマビデオを含む現在のアクティビティ情報を受信するように構成される、第1の受信ユニットと、
第2のユーザデバイスが、前記現在のアクティビティ状態情報を前記個人ホームページの背景領域に表示するように、前記現在のアクティビティ状態情報を前記第2のユーザデバイスに送信するように構成される、第1の送信ユニットと、
を備える、装置。
【請求項１７】
前記第1のユーザデバイスによって送信され、前記現在のアクティビティ状態情報に対応するリンクアドレスを受信するように構成される、第2の受信ユニットと、
前記現在のアクティビティ状態情報を前記対応するリンクアドレスに結合するように構成される、結合ユニットと、
結合される前記リンクアドレスを前記第2のユーザデバイスに送信するように構成される、第2の送信ユニットと、
をさらに備える、請求項16に記載の装置。
【請求項１８】
前記第1の受信ユニットが、
前記個人ホームページの個人状態表示モードが有効であるとの判断に応答して、前記第1のユーザデバイスによって送信される前記個人ホームページの前記ユーザの前記現在のアクティビティ状態情報を受信するように構成される、接続サブユニットを含む、請求項16に記載の装置。
【請求項１９】
少なくとも1つのプロセッサと、
前記少なくとも1つのプロセッサによって実行され得る命令を記憶するように構成されるメモリであって、前記命令が、前記少なくとも1つのプロセッサによって実行されるときに、
サーバによって提供される個人ホームページのユーザの現在のアクティビティ状態情報であって、現在のアクティビティテーマ画像または現在のアクティビティテーマビデオを含む現在のアクティビティ状態情報を受信し、
前記現在のアクティビティ状態情報を前記個人ホームページの背景領域に表示するように、前記少なくとも1つのプロセッサに命令する、メモリと、
を備える、ユーザデバイス。
【請求項２０】
少なくとも1つのプロセッサと、
前記少なくとも1つのプロセッサによって実行され得る命令を記憶するように構成されるメモリであって、前記命令が、前記少なくとも1つのプロセッサによって実行されるときに、
実行状態にある各ローカルアプリケーションをモニタリングして、モニタリング結果を取得し、
前記モニタリング結果に基づいて、個人ホームページのユーザの現在のアクティビティ状態情報であって、現在のアクティビティテーマ画像または現在のアクティビティテーマビデオを含む現在のアクティビティ状態情報を判断し、    前記現在のアクティビティ状態情報をサーバに送信するように、前記少なくとも1つのプロセッサに命令する、メモリと、
を備える、ユーザデバイス。
【請求項２１】
少なくとも1つのプロセッサと、
前記少なくとも1つのプロセッサによって実行され得る命令を記憶するように構成されるメモリであって、前記命令が、前記少なくとも1つのプロセッサによって実行されるときに、
第1のユーザデバイスによって送信される個人ホームページのユーザの現在のアクティビティ状態情報であって、現在のアクティビティテーマ画像または現在のアクティビティテーマビデオを含む現在のアクティビティ状態情報を受信し、  第2のユーザデバイスが、前記現在のアクティビティ状態情報を前記個人ホームページの背景領域に表示するように、前記現在のアクティビティ状態情報を前記第2のユーザデバイスに送信するように、前記少なくとも1つのプロセッサに命令する、メモリと、
を備える、サーバ。
【発明の詳細な説明】
【技術分野】
【０００１】
本出願は、ネットワーク通信技術の分野に関し、特に、個人ホームページを表示する方法、装置、ユーザデバイス、およびサーバに関する。
【背景技術】
【０００２】
個人ホームページは、個人のウェブサイトの最も単純な表現形式であり、ある人をより良く知るために他の人々が閲覧し、その他の人と通信するなどのために作成されたウェブサイトである。
【０００３】
図1に示すように、個人ホームページは、通常、プロファイル画像領域12および背景領域11を含む。個人ホームページのユーザは、通常、画像をプロファイル画像として個人ホームページのプロファイル画像領域12にアップロードし、背景領域11における背景として別の画像をアップロードし得る。通常、プロファイル画像領域12は、比較的小さく、正方形または円形であってもよい。背景領域11は、比較的大きく、より多くのコンテンツを表示し得る。
【０００４】
しかしながら、背景領域の画像は、変化のない意味しか表すことができず、個人ホームページのユーザのアクティビティを反映することはできない。その結果、見ている人は、個人ホームページのユーザのアクティビティを個人ホームページから直観的に知ることができず、さらに、別のチャネルを通して(例えば、インスタントメッセージチャットを通して)アクティビティを知る必要がある。したがって、動作が不便であり、追加のシステムリソースが浪費される。
【発明の概要】
【発明が解決しようとする課題】
【０００５】
前述の技術的問題を軽減するために、本出願は、個人ホームページを表示する方法、装置、ユーザデバイス、およびサーバを提供する。
【課題を解決するための手段】
【０００６】
本出願の実施の第1の態様によれば、個人ホームページを表示する方法が、提供される。方法は、サーバによって提供される個人ホームページのユーザの現在のアクティビティ状態情報であって、現在のアクティビティテーマ画像または現在のアクティビティテーマビデオを含むアクティビティ状態情報を受信するステップと、現在のアクティビティ状態情報を個人ホームページの背景領域に表示するステップと、を含む。
【０００７】
本出願の実施の第2の態様によれば、個人ホームページを表示する方法が、提供される。方法は、実行状態にある各ローカルアプリケーションをモニタリングして、モニタリング結果を取得するステップと、モニタリング結果に基づいて、個人ホームページのユーザの現在のアクティビティ状態情報であって、現在のアクティビティテーマ画像または現在のアクティビティテーマビデオを含む現在のアクティビティ状態情報を判断するステップと、現在のアクティビティ状態情報をサーバに送信するステップと、を含む。
【０００８】
本出願の実施の第3の態様によれば、個人ホームページを表示する方法が、提供される。方法は、第1のユーザデバイスによって送信される個人ホームページのユーザの現在のアクティビティ状態情報をであって、現在のアクティビティテーマ画像または現在のアクティビティテーマビデオを含む現在のアクティビティ情報受信するステップと、第2のユーザデバイスが、現在のアクティビティ状態情報を個人ホームページの背景領域に表示するように、現在のアクティビティ状態情報を第2のユーザデバイスに送信するステップと、を含む。
【０００９】
本出願の実施の第4の態様によれば、個人ホームページを表示する装置が、提供される。装置は、サーバによって提供される個人ホームページのユーザの現在のアクティビティ状態情報を受信するように構成される第1の受信ユニットであって、現在のアクティビティ状態情報が、現在のアクティビティテーマ画像または現在のアクティビティテーマビデオを含む、第1の受信ユニットと、現在のアクティビティ状態情報を個人ホームページの背景領域に表示するように構成される、第1の表示ユニットと、を含む。
【００１０】
本出願の実施の第5の態様によれば、個人ホームページを表示する装置が、提供される。装置は、実行状態にある各ローカルアプリケーションをモニタリングして、モニタリング結果を取得するように構成される、モニタリングユニットと、モニタリング結果に基づいて、個人ホームページのユーザの現在のアクティビティ状態情報であって、現在のアクティビティテーマ画像または現在のアクティビティテーマビデオを含む現在のアクティビティ状態情報を判断するように構成される、第1の判断ユニットと、現在のアクティビティ状態情報をサーバに送信するように構成される、第1の送信ユニットと、を含む。
【００１１】
本出願の実施の第6の態様によれば、個人ホームページを表示する装置が、提供される。装置は、第1のユーザデバイスによって送信される個人ホームページのユーザの現在のアクティビティ状態情報であって、現在のアクティビティテーマ画像または現在のアクティビティテーマビデオを含む現在のアクティビティ情報を受信するように構成される、第1の受信ユニットと、第2のユーザデバイスが、現在のアクティビティ状態情報を個人ホームページの背景領域に表示するように、現在のアクティビティ状態情報を第2のユーザデバイスに送信するように構成される、第1の送信ユニットと、を含む。
【００１２】
本出願の実施の第7の態様によれば、ユーザデバイスが提供される。ユーザデバイスは、少なくとも1つのプロセッサと、少なくとも1つのプロセッサによって実行され得る命令を記憶するように構成されるメモリであって、命令が、少なくとも1つのプロセッサによって実行されるときに、サーバによって提供される個人ホームページのユーザの現在のアクティビティ状態情報であって、現在のアクティビティテーマ画像または現在のアクティビティテーマビデオを含む現在のアクティビティ状態情報を受信し、現在のアクティビティ状態情報を個人ホームページの背景領域に表示するように、少なくとも1つのプロセッサに命令する、メモリと、を含む。
【００１３】
本出願の実施の第8の態様によれば、ユーザデバイスが提供される。ユーザデバイスは、少なくとも1つのプロセッサと、少なくとも1つのプロセッサによって実行され得る命令を記憶するように構成されるメモリであって、命令が、少なくとも1つのプロセッサによって実行されるときに、実行状態にある各ローカルアプリケーションをモニタリングして、モニタリング結果を取得し、モニタリング結果に基づいて、個人ホームページのユーザの現在のアクティビティ状態情報であって、現在のアクティビティテーマ画像または現在のアクティビティテーマビデオを含む現在のアクティビティ状態情報を判断し、現在のアクティビティ状態情報をサーバに送信するように、少なくとも1つのプロセッサに命令する、メモリと、を含む。
【００１４】
本出願の実施の第9の態様によれば、サーバが提供される。サーバは、少なくとも1つのプロセッサと、少なくとも1つのプロセッサによって実行され得る命令を記憶するように構成されるメモリであって、命令が、少なくとも1つのプロセッサによって実行されるときに、第1のユーザデバイスによって送信される個人ホームページのユーザの現在のアクティビティ状態情報であって、現在のアクティビティテーマ画像または現在のアクティビティテーマビデオを含む現在のアクティビティ状態情報を受信し、第2のユーザデバイスが、現在のアクティビティ状態情報を個人ホームページの背景領域に表示するように、現在のアクティビティ状態情報を第2のユーザデバイスに送信するように、少なくとも1つのプロセッサに命令する、メモリと、を含む。
【発明の効果】
【００１５】
本出願の実施において、個人ホームページのユーザの現在のアクティビティ状態情報が、個人ホームページの背景領域に表示されて、見ている人が個人ホームページのユーザのアクティビティを個人ホームページから直観的に知ることに役立つ。それによって、見ている人が個人ホームページのユーザのアクティビティを別のチャネルを通して知ることを妨げ、システムリソースを節約する。
【００１６】
前述の概略的な記載および以下の詳細な記載は、説明のための単なる例であり、本出願を限定するものではないと理解されるべきである。
【００１７】
本出願の実施における、または既存技術における技術的解決手段をより明確に説明するために、以下では、実施または既存技術を説明するために必要な添付図面を簡潔に説明する。以下の説明における添付図面は、単に本出願のいくつかの実施を示したものであり、当業者が、これらの添付図面から創造的努力なしに他の図面をさらに導き出し得ることは、明らかである。
【図面の簡単な説明】
【００１８】
【図１】既存技術における個人ホームページを示す概略図である。
【図２】本出願の実施による、個人ホームページの表示シナリオを示す概略図である。
【図３】本出願による、個人ホームページを表示する方法の実施を示すフローチャートである。
【図４】本出願による、個人ホームページを表示する方法の別の実施を示すフローチャートである。
【図５】本出願による、個人ホームページを表示する方法の実施を示すフローチャートである。
【図６】本出願による、個人ホームページを表示する方法の実施を示すフローチャートである。
【図７】本出願による、個人ホームページを表示する方法の別の実施を示すフローチャートである。
【図８】本出願による、個人ホームページを表示する装置のハードウェア構造を示す図である。
【図９】本出願による、個人ホームページを表示する装置の実施を示すブロック図である。
【図１０】本出願による、個人ホームページを表示する装置の実施を示すブロック図である。
【図１１】本出願による、個人ホームページを表示する装置の実施を示すブロック図である。
【発明を実施するための形態】
【００１９】
例としての実施は、ここで詳細に説明され、例としての実施の例が、添付図面において提示される。以下の説明が添付図面に関係するとき、特段の指定がない限り、異なる添付図面中の同一の番号は、同一または類似の要素を表す。以下の例としての実施において説明される実施は、本出願と一貫した全ての実施を表すものではない。それどころか、実施は、添付の特許請求の範囲において詳述される、本出願のいくつかの態様と一貫した装置および方法の単なる例に過ぎない。
【００２０】
本出願において使用される用語は、単に特定の実施を示すためのものであり、本出願を限定するように意図されるものではない。本明細書および添付の特許請求の範囲において使用される単数形の「a」および「the」という用語は、文脈においてそうでないと明確に指定されない限り、複数形も含むように意図される。本明細書において使用される「および/または」という用語は、1つまたは複数の関係する列挙項目のうちのいずれかまたは全ての可能な組み合わせを指し、かつ含むとさらに理解されるべきである。
【００２１】
「第1の」、「第2の」、「第3の」などの用語が、本出願において多様な種類の情報を説明するために使用され得るが、情報はその用語に限定されないと理解されるべきである。これらの用語は、同一種類の情報を区別するためだけに使用される。例えば、本出願の範囲から逸脱することなく、第1の情報は、第2の情報とも呼ばれてもよく、同様に、第2の情報は、第1の情報とも呼ばれてもよい。文脈に依存して、例えば、ここで使用される「場合」という語は、「間」、「とき」、または「判断に応答して」として説明され得る。
【００２２】
図2は、本出願の実施による、個人ホームページの表示シナリオを示す概略図である。
【００２３】
図2におけるシナリオは、第1のユーザデバイス、第2のユーザデバイス、およびサーバを含む。ユーザは、第1のユーザデバイスを使用することによってサーバ上に個人ホームページを作成し、個人ホームページを使用し得る。さらに、ユーザの友達は、第2のユーザデバイスを使用することによりサーバにログインして、ユーザによって使用される個人ホームページを閲覧し得る。
【００２４】
本出願において、個人ホームページのユーザが、現在のアクティビティ状態を表示するかどうかを独立して制御するように、個人ホームページは、個人状態表示モードを提供し、個人状態表示モードを有効化または無効化するために使用される制御ボタンを提供する。
【００２５】
個人ホームページの個人状態表示モードが、有効である場合、個人ホームページのユーザの現在のアクティビティ状態情報は、個人ホームページの背景領域に表示され得る。
【００２６】
例えば、個人ホームページのユーザが、歌を聴いている場合、個人ホームページのユーザが聴いている歌のアルバム画像が、個人ホームページの背景領域に表示されてもよい。個人ホームページのユーザが、株式を見ている場合、個人ホームページのユーザが見ている株式市場画像が、個人ホームページの背景領域に表示されてもよい。個人ホームページのユーザが、ニュースを見ている場合、個人ホームページのユーザが見ているニュースの同期ビデオが、個人ホームページの背景領域に表示されてもよい。
【００２７】
個人ホームページの個人状態表示モードが有効化された後は、個人ホームページのユーザの現在のアクティビティ状態が個人ホームページの背景領域に表示されてもよく、したがって、ユーザの友達が、友達に共感し、かつより多くの友達から注意を引き易くなるように、個人ホームページを開いたときに個人ホームページのユーザの現在のアクティビティ状態を知ることができることが分かる。
【００２８】
本出願は、特定の実施を参照して、以下で詳述される。
【００２９】
図3は、本出願による、個人ホームページを表示する方法の実施を示すフローチャートである。方法は、ユーザデバイスに適用されてもよく、ユーザデバイスは、個人ホームページのユーザと社会的な関係性を有するユーザによって使用されるユーザデバイスであってもよい。社会的な関係性は、インスタントメッセージ、ソーシャルソフトウェアなどを通して具現化された交友関係を含み得る。方法は、以下のステップを含み得る。
【００３０】
ステップ310:サーバによって提供される個人ホームページのユーザの現在のアクティビティ状態情報であって、現在のアクティビティテーマ画像または現在のアクティビティテーマビデオを含む現在のアクティビティ状態情報を受信する。
【００３１】
本出願の本実施において、サーバは、個人ホームページのユーザの現在のアクティビティ状態をリアルタイムでモニタリングし、個人ホームページのユーザの現在のアクティビティ状態をユーザデバイスに送信し、したがって、ユーザデバイスは、個人ホームページのユーザの現在のアクティビティ状態情報を、個人ホームページの背景領域に同期的に表示する。
【００３２】
ステップ320:個人ホームページのユーザの現在のアクティビティ状態情報を個人ホームページの背景領域に表示する。
【００３３】
本出願の本実施において、現在のアクティビティ状態情報内の現在のアクティビティテーマ画像および現在のアクティビティテーマビデオの両方が、個人ホームページのユーザのアクティビティを表し得る。
【００３４】
例えば、個人ホームページのユーザが歌を聴いている場合、個人ホームページのユーザのアクティビティが、ユーザが聴いている歌のアルバム画像によって提示されてもよい。個人ホームページのユーザが株式を見ている場合、個人ホームページのユーザのアクティビティが、ユーザが見ている株式市場画像によって表されてもよい。個人ホームページのユーザがニュースを見ている場合、個人ホームページのユーザのアクティビティが、ユーザが見ているニュースの同期ビデオによって表されてもよい。
【００３５】
個人ホームページのユーザの現在のアクティビティ状態情報が、個人ホームページの背景領域に表示されて、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【００３６】
図4は、本出願による、個人ホームページを表示する方法の別の実施を示すフローチャートである。方法は、ユーザデバイスに適用されてもよく、方法は、図3に基づく。方法は、以下のステップをさらに含み得る。
【００３７】
ステップ410:サーバによって提供され、個人ホームページのユーザの現在のアクティビティ状態情報に対応するリンクアドレスを受信する。
【００３８】
例えば、個人ホームページのユーザが歌を聴いている場合、サーバは、ユーザが聴いている歌のアルバム画像のアドレスをさらに提供する。個人ホームページのユーザが株式を見ている場合、サーバは、ユーザが見ている株式のウェブサイトをさらに提供する。個人ホームページのユーザがニュースを見ている場合、サーバは、ユーザが見ているニュースのウェブサイトアドレスをさらに提供する。
【００３９】
ステップ420:現在のアクティビティ状態情報に対するビュー動作が検出されるときに、ビュー動作に基づいて、現在表示されている個人ホームページからリンクアドレスに対応するページに切り替える。ビュー動作は、個人ホームページの背景領域についてのタップ動作またはタッチ動作であってもよい。
【００４０】
例えば、個人ホームページのユーザが聴いている歌のアルバム画像が、個人ホームページの背景領域に表示されている。見ている人は、画像を見た後、アルバム画像をタップしてもよい。この場合、見ている人は、アルバム画像のアドレスを読み出して、現在表示されている個人ホームページからアルバム画像のアドレスに対応するページに切り替え、個人ホームページのユーザが聴いている曲を直接再生する。
【００４１】
サーバによって提供され、個人ホームページのユーザの現在のアクティビティ状態情報に対応するリンクアドレスが受信され、現在のアクティビティ状態情報についてのビュー動作が検出されるときに、現在表示されている個人ホームページは、ビュー動作に基づいてリンクアドレスに対応するページに切り替わることが、前述の実施から分かる。このようにして、見ている人は、個人ホームページのユーザが現在関心を持っているコンテンツのページにジャンプすることができ、それによって、見ている人の、個人ホームページのユーザのアクティビティをさらに知るためのニーズを満たす。
【００４２】
実施において、個人ホームページを表示する方法は、以下のステップをさらに含む。
【００４３】
ステップ430:個人ホームページのユーザの現在のアクティビティ状態情報を表すために使用されるテーマテキストを、個人ホームページのプロファイル画像領域外の特定位置に表示する。
【００４４】
本出願の本実施において、テーマテキストは、短いテキスト情報であってもよく、直接表示されてもよく、またはスクロールによって表示されてもよい。
【００４５】
例えば、個人ホームページのユーザが歌を聴いている場合、テーマテキストは、ユーザが聴いている歌の名前であってもよい。個人ホームページのユーザが株式を見ている場合、テーマテキストは、ユーザが見ている株式の名前であってもよい。個人ホームページのユーザがニュースを見ている場合、テーマテキストは、ユーザが見ているニュースの見出しであってもよい。
【００４６】
個人ホームページのユーザの現在のアクティビティ状態情報を表すために使用されるテーマテキストが、個人ホームページのプロファイル画像領域外の特定位置に表示され、したがって、個人ホームページの表示様式が充実し、個人ホームページのアクセス頻度が向上することが、前述の実施から分かる。
【００４７】
図5は、本出願による、個人ホームページを表示する方法の実施を示すフローチャートである。方法は、ユーザデバイスに適用されてもよく、ユーザデバイスは、個人ホームページのユーザによって使用されるユーザデバイスであってもよい。方法は、以下のステップを含み得る。
【００４８】
ステップ510:実行状態にある各ローカルアプリケーションをモニタリングして、モニタリング結果を取得する。
【００４９】
本出願の本実施において、実行中状態のアプリケーションは、フォアグラウンドで実行中のアプリケーションを含んでもよく、バックグラウンドで実行中のアプリケーションをさらに含んでもよい。
【００５０】
フォアグラウンドで実行中のアプリケーションの実行インタフェースは、ユーザデバイスの表示スクリーン上に表示される。例えば、個人ホームページのユーザは、アプリケーション「QQ」を使用して友達とチャットする。この場合、「QQ」は、フォアグラウンドにおいて実行中である。
【００５１】
バックグラウンドで実行中のアプリケーションの実行インタフェースは、ユーザデバイスの表示スクリーン上に表示されず、その代わりに、アプリケーションの実行インタフェースが、ステータスバーに最小化される。例えば、個人ホームページのユーザは、アプリケーション「KuGou」によって歌を聴き、アプリケーション「KuGou」を最小化する。この場合、「KuGou」は、バックグラウンドにおいて実行中である。
【００５２】
本出願の本実施において、モニタリング結果は、フォアグラウンドで実行中のアプリケーションの量、バックグラウンドで実行中のアプリケーションの量、現在の実行状態、および各アプリケーションの実行インタフェースなどを含んでもよい。
【００５３】
例えば、個人ホームページのユーザは、「QQ」を使用して友達とチャットし、同時に「KuGou」を使用して歌を聴く。この場合、モニタリング結果は、「QQ」がフォアグラウンドで実行中であるという事実、および「QQ」の現在の実行インタフェースを含み、個人ホームページのユーザと友達との間のチャットの内容が、インタフェースにおいて表示される。モニタリング結果は、「KuGou」がバックグラウンドで実行中であるという事実、および「KuGou」の現在の実行状態をさらに含み、状態は、再生されている歌の名前、アルバム画像などを含む。
【００５４】
さらに、モニタリング結果は、同一のアプリケーション中の異なる機能ユニットの実行状態、実行インタフェースなどをさらに含んでもよい。
【００５５】
ステップ520:モニタリング結果に基づいて、個人ホームページのユーザの現在のアクティビティ状態情報であって、現在のアクティビティテーマ画像または現在のアクティビティテーマビデオを含む現在のアクティビティ状態情報を判断する。
【００５６】
ステップ530:個人ホームページのユーザの現在のアクティビティ状態情報をサーバに送信する。
【００５７】
実施において、個人ホームページを表示する方法は、モニタリング結果に基づいて、個人ホームページのユーザの現在のアクティビティ状態情報に対応するリンクアドレスを判断するステップと、現在のアクティビティ状態情報に対応するリンクアドレスをサーバに送信するステップと、をさらに含む。
【００５８】
実行状態にある各ローカルアプリケーションが、モニタリングされてモニタリング結果を取得され、個人ホームページのユーザの現在のアクティビティ状態情報が、モニタリング結果に基づいて判断され、個人ホームページのユーザの現在のアクティビティ状態情報が、サーバに送信され、したがって、サーバは、見ている人に、個人ホームページのユーザの現在のアクティビティ状態情報を提供することができ、それによって、見ている人が個人ホームページのユーザのアクティビティを別のチャネルを通して知ることを妨げ、システムリソースを節約することが、前述の実施から分かる。
【００５９】
図6は、本出願による、個人ホームページを表示する方法の実施を示すフローチャートである。方法は、サーバに適用されてもよく、方法は、以下のステップを含み得る。
【００６０】
ステップ610:第1のユーザデバイスによって送信される個人ホームページのユーザの現在のアクティビティ状態情報であって、現在のアクティビティテーマ画像または現在のアクティビティテーマビデオを含む現在のアクティビティ情報を受信し、第1のユーザデバイスは、個人ホームページのユーザによって使用されるユーザデバイスである。
【００６１】
ステップ620:第2のユーザデバイスが、個人ホームページのユーザの現在のアクティビティ状態情報を個人ホームページの背景領域に表示するように、個人ホームページのユーザの現在のアクティビティ状態情報を第2のユーザデバイスに送信する。第2のユーザデバイスは、個人ホームページのユーザと社会的な関係性を有するユーザによって使用されるユーザデバイスであってもよく、社会的な関係性は、インスタントメッセージ、ソーシャルソフトウェアなどを通して具現化された交友関係を含み得る。
【００６２】
本出願の本実施において、サーバは、個人ホームページのユーザの現在のアクティビティ状態をリアルタイムでモニタリングし、個人ホームページのユーザの現在のアクティビティ状態を第2のユーザデバイスに送信し、したがって、第2のユーザデバイスは、個人ホームページのユーザの現在のアクティビティ状態情報を、個人ホームページの背景領域に同期的に表示する。
【００６３】
例えば、個人ホームページのユーザが歌Aを聴くためにソングアプリケーション(APP)を開始することを検出すると、個人ホームページのユーザによって使用されるユーザデバイスは、歌Aのアルバム画像をサーバに送信する。
【００６４】
実施において、個人ホームページを表示する方法は、第1のユーザデバイスによって送信され、個人ホームページのユーザの現在のアクティビティ状態情報に対応する、リンクアドレスを受信するステップと、個人ホームページのユーザの現在のアクティビティ状態情報を対応するリンクアドレスに結合するステップと、結合されたリンクアドレスを第2のユーザデバイスに送信するステップと、をさらに含む。
【００６５】
第1のユーザデバイスによって送信される個人ホームページのユーザの現在のアクティビティ状態情報が受信され、個人ホームページのユーザの現在のアクティビティ状態情報が、第2のユーザデバイスに送信され、したがって、第2のユーザデバイスが、個人ホームページのユーザの現在のアクティビティ状態情報を個人ホームページの背景領域に表示して、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【００６６】
図7は、本出願による、個人ホームページを表示する方法の別の実施を示すフローチャートである。方法は、サーバに適用されてもよく、方法は、以下のステップを含み得る。
【００６７】
ステップ710:個人ホームページの個人状態表示モードが有効であるかどうかを検出する。
【００６８】
本出願の本実施において、個人状態表示モードは、個人ホームページのユーザの現在のアクティビティ状態情報が、個人ホームページの背景領域に表示され得ることを表すために使用される。
【００６９】
さらに、個人状態表示モードの有効化および無効化が、個人ホームページのユーザによって制御されてもよい。
【００７０】
ステップ720:個人状態表示モードが有効であると判断される場合、第1のユーザデバイスによって送信される個人ホームページのユーザの現在のアクティビティ状態情報を受信する。
【００７１】
本出願の本実施において、現在のアクティビティ状態情報は、個人ホームページのユーザの現在の状態を表すために使用される。例えば、個人ホームページのユーザが、スマートフォンを使用することによって、歌を聞き、ウェブページを閲覧し、ビデオをオンラインで見る、などである。
【００７２】
ステップ730:第2のユーザデバイスが、個人ホームページのユーザの現在のアクティビティ状態情報を個人ホームページの背景領域に表示するように、個人ホームページのユーザの現在のアクティビティ状態情報を第2のユーザデバイスに送信する。
【００７３】
個人ホームページの個人状態表示モードが有効である場合に、個人ホームページのユーザの現在のアクティビティ状態情報が取得されてもよく、個人ホームページのユーザの現在のアクティビティ状態情報が、第2のユーザデバイスに送信され、したがって、第2のユーザデバイスが、個人ホームページのユーザの現在のアクティビティ状態情報を個人ホームページの背景領域に表示して、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【００７４】
本出願の個人ホームページを表示する方法の実施に対応して、本出願は、個人ホームページを表示する装置の実施をさらに提供する。
【００７５】
本出願における個人ホームページを表示する装置の実施は、ユーザデバイスまたはサーバに別々に適用されてもよい。装置の実施は、ソフトウェア、ハードウェア、またはソフトウェアおよびハードウェアの組み合わせによって実施されてもよい。ソフトウェアの実施が、例として使用される。論理装置として、装置は、装置が位置するデバイスのプロセッサにより、不揮発性メモリ内の対応するコンピュータプログラム命令をメモリに読み出すことによって形成される。ハードウェアに関して、図8は、本出願における個人ホームページを表示する装置が位置するデバイスのハードウェア構造の図である。図8に示されるプロセッサ、メモリ、ネットワークインタフェース、および不揮発性メモリに加えて、本実施における装置が位置するデバイスが、デバイスの実際の機能に基づいて、他のハードウェアを含んでもよい。例えば、ユーザデバイスとして、デバイスは、カメラ、タッチスクリーン、通信コンポーネントなどを含んでもよく、サーバとして、デバイスは、パケットの処理を担当する、フォワーディングチップなどを含んでもよい。
【００７６】
図9は、本出願による、個人ホームページを表示する装置の実施を示すブロック図である。個人ホームページを表示する装置は、ユーザデバイスに適用されてもよく、図3に示される個人ホームページを表示する方法を実行するように構成されてもよい。装置は、第1の受信ユニット91、および第1の表示ユニット92を含む。
【００７７】
第1の受信ユニット91は、サーバによって提供される個人ホームページのユーザの現在のアクティビティ状態情報であって、現在のアクティビティテーマ画像または現在のアクティビティテーマビデオを含む現在のアクティビティ状態情報を受信するように構成される。
【００７８】
第1の表示ユニット92は、現在のアクティビティ状態情報を個人ホームページの背景領域に表示するように構成される。
【００７９】
個人ホームページのユーザの現在のアクティビティ状態情報が、個人ホームページの背景領域に表示されて、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【００８０】
任意の実施において、装置は、第2の受信ユニット、結合ユニット、および切り替えユニット(図9には示されない)をさらに含んでもよい。
【００８１】
第2の受信ユニットは、サーバによって提供され、現在のアクティビティ状態情報に結合されている、リンクアドレスを受信するように構成される。
【００８２】
切り替えユニットは、現在のアクティビティ状態情報に対するビュー動作が検出されるときに、ビュー動作に基づいて、現在表示されている個人ホームページからリンクアドレスに対応するページに切り替えるように構成される。
【００８３】
ビュー動作は、個人ホームページの背景領域に対するタップ動作またはタッチ動作であってもよい。
【００８４】
別の任意の実施において、装置は、第2の表示ユニット(図9には示されない)をさらに含んでもよい。
【００８５】
第2の表示ユニットは、現在のアクティビティ状態情報を表すために使用されるテーマテキストを、個人ホームページのプロファイル画像領域外の特定位置に表示するように構成される。
【００８６】
個人ホームページのユーザの現在のアクティビティ状態情報が、個人ホームページの背景領域に表示されて、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【００８７】
図10は、本出願による、個人ホームページを表示する装置の実施を説明するブロック図である。個人ホームページを表示する装置は、ユーザデバイスに適用されてもよく、図5に示される個人ホームページを表示する方法を実行するように構成されてもよい。装置は、モニタリングユニット101、第1の判断ユニット102、および第1の送信ユニット103を含む。
【００８８】
モニタリングユニット101は、実行状態にある各ローカルアプリケーションをモニタリングして、モニタリング結果を取得するように構成される。
【００８９】
第1の判断ユニット102は、モニタリング結果に基づいて個人ホームページのユーザの現在のアクティビティ状態情報であって、現在のアクティビティテーマ画像または現在のアクティビティテーマビデオを含む現在のアクティビティ状態情報を判断するように構成される。
【００９０】
第1の送信ユニット103は、現在のアクティビティ状態情報をサーバに送信するように構成される。
【００９１】
実行状態にある各ローカルアプリケーションが、モニタリングされてモニタリング結果を取得され、個人ホームページのユーザの現在のアクティビティ状態情報が、モニタリング結果に基づいて判断され、個人ホームページのユーザの現在のアクティビティ状態情報が、サーバに送信され、したがって、サーバは、見ている人に、個人ホームページのユーザの現在のアクティビティ状態情報を提供することができ、それによって、見ている人が個人ホームページのユーザのアクティビティを別のチャネルを通して知ることを妨げ、システムリソースを節約することが、前述の実施から分かる。
【００９２】
任意の実施において、装置は、第2の判断ユニット、および第2の送信ユニット(図10には示されない)をさらに含んでもよい。
【００９３】
第2の判断ユニットは、モニタリング結果に基づいて、現在のアクティビティ状態情報に対応するリンクアドレスを判断するように構成される。
【００９４】
第2の送信ユニットは、対応するリンクアドレスをサーバに送信するように構成される。
【００９５】
図11は、本出願による、個人ホームページを表示する装置の実施を示すブロック図である。個人ホームページを表示する装置は、サーバに適用されてもよく、図6に示される個人ホームページを表示する方法を実行するように構成されてもよい。装置は、第1の受信ユニット111、および第1の送信ユニット112を含む。
【００９６】
第1の受信ユニット111は、第1のユーザデバイスによって送信される個人ホームページのユーザの現在のアクティビティ状態情報であって、現在のアクティビティテーマ画像または現在のアクティビティテーマビデオを含む現在のアクティビティ状態情報を受信するように構成される。
【００９７】
第1の送信ユニット112は、第2のユーザデバイスが、現在のアクティビティ状態情報を個人ホームページの背景領域に表示するように、現在のアクティビティ状態情報を第2のユーザデバイスに送信するように構成される。
【００９８】
個人ホームページのユーザの現在のアクティビティ状態情報が取得され、個人ホームページのユーザの現在のアクティビティ状態情報が、第2のユーザデバイスに送信され、したがって、第2のユーザデバイスが、個人ホームページのユーザの現在のアクティビティ状態情報を個人ホームページの背景領域に表示して、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【００９９】
任意の実施において、装置は、第2の受信ユニット、結合ユニット、および第2のユニット(図11には示されない)をさらに含んでもよい。
【０１００】
第2の受信ユニットは、第1のユーザデバイスによって送信され、現在のアクティビティ状態情報に対応するリンクアドレスを受信するように構成される。
【０１０１】
結合ユニットは、現在のアクティビティ状態情報を対応するリンクアドレスに結合するように構成される。
【０１０２】
第2の送信ユニットは、結合されるリンクアドレスを第2のユーザデバイスに送信するように構成される。
【０１０３】
別の任意の実施において、第1の受信ユニット111は、接続サブユニット(図11に示されない)を含んでもよい。
【０１０４】
接続サブユニットは、個人ホームページの個人状態表示モードが有効であると判断されるとき、第1のユーザデバイスによって送信される個人ホームページのユーザの現在のアクティビティ状態情報を受信するように構成される。
【０１０５】
装置の実施は、基本的に方法の実施に対応するため、関連部分について、方法の実施における関連する説明に対して参照が行われてもよい。前述した装置の実施は、単なる例である。別々の部分として説明されるユニットは、物理的に分離されていてもいなくともよい。ユニットとして表示される部分は、物理的ユニットであってもなくてもよく、1つの位置に位置してもよく、または複数のネットワークユニット上に分散されてもよい。モジュールのうちのいくつかまたは全てが、本出願の解決手段の目的を達成するために、実際の要求に基づいて選択されてもよい。当業者は、本出願の実施を創造的努力なしに理解し、実施し得る。
【０１０６】
さらに、前述の実施において示された装置、モジュール、またはユニットは、コンピュータチップもしくはエンティティを使用することによって実施されてもよく、またはある機能を有する製品を使用することによって実施されてもよい。典型的な実施デバイスは、コンピュータであり、コンピュータは、パーソナルコンピュータ、ラップトップコンピュータ、携帯電話、カメラ電話、スマートフォン、携帯情報端末、メディアプレーヤ、ナビゲーションデバイス、電子メール受信および送信デバイス、ゲームコンソール、タブレットコンピュータ、ウェアラブルデバイス、またはこれらのデバイスの任意の組み合わせであってもよい。
【０１０７】
図9に対応する、本出願の実施は、ユーザデバイスをさらに提供し、ユーザデバイスは、少なくとも1つのプロセッサと、少なくとも1つのプロセッサによって実行され得る命令を記憶するように構成されるメモリと、を含む。
【０１０８】
少なくとも1つのプロセッサは、サーバによって提供される個人ホームページのユーザの現在のアクティビティ状態情報であって、現在のアクティビティテーマ画像または現在のアクティビティテーマビデオを含む現在のアクティビティ状態情報を受信し、現在のアクティビティ状態情報を個人ホームページの背景領域に表示するように構成される。
【０１０９】
個人ホームページのユーザの現在のアクティビティ状態情報が、個人ホームページの背景領域に表示されて、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【０１１０】
図10に対応して、本出願の実施は、ユーザデバイスをさらに提供し、ユーザデバイスは、少なくとも1つのプロセッサと、少なくとも1つのプロセッサによって実行され得る命令を記憶するように構成されるメモリと、を含む。
【０１１１】
少なくとも1つのプロセッサは、実行状態にある各ローカルアプリケーションをモニタリングして、モニタリング結果を取得し、モニタリング結果に基づいて、個人ホームページのユーザの現在のアクティビティ状態情報であって、現在のアクティビティテーマ画像または現在のアクティビティテーマビデオを含む現在のアクティビティ状態情報を判断し、現在のアクティビティ状態情報をサーバに送信するように構成される。
【０１１２】
実行状態にある各ローカルアプリケーションが、モニタリングされてモニタリング結果を取得され、個人ホームページのユーザの現在のアクティビティ状態情報が、モニタリング結果に基づいて判断され、個人ホームページのユーザの現在のアクティビティ状態情報が、サーバに送信され、したがって、サーバは、見ている人に、個人ホームページのユーザの現在のアクティビティ状態情報を提供することができ、それによって、見ている人が個人ホームページのユーザのアクティビティを別のチャネルを通して知ることを妨げ、システムリソースを節約することが、前述の実施から分かる。
【０１１３】
図11に対応して、本出願の実施は、サーバをさらに提供し、サーバは、少なくとも1つのプロセッサと、少なくとも1つのプロセッサによって実行され得る命令を記憶するように構成されるメモリと、を含む。
【０１１４】
少なくとも1つのプロセッサは、第1のユーザデバイスによって送信される個人ホームページのユーザの現在のアクティビティ状態情報であって、現在のアクティビティテーマ画像または現在のアクティビティテーマビデオを含む現在のアクティビティ状態情報を受信し、第2のユーザデバイスが、現在のアクティビティ状態情報を個人ホームページの背景領域に表示するように、現在のアクティビティ状態情報を第2のユーザデバイスに送信するように構成される。
【０１１５】
個人ホームページのユーザの現在のアクティビティ状態情報が取得され、個人ホームページのユーザの現在のアクティビティ状態情報が、第2のユーザデバイスに送信され、したがって、第2のユーザデバイスが、個人ホームページのユーザの現在のアクティビティ状態情報を個人ホームページの背景領域に表示して、見ている人が個人ホームページのユーザのアクティビティを個人ホームページから直観的に知ることに役立ち、それによって、見ている人が個人ホームページのユーザのアクティビティを別のチャネルを通して知ることを妨げ、システムリソースを節約することが、前述の実施から分かる。
【０１１６】
当業者は、本明細書を考察し、本開示をここで実施した後で、本出願の別の実施解決手段を容易に理解し得る。本出願は、本出願の任意の変形、機能、または適応的変更をカバーするように意図される。これらの変形、機能、または適応的変更が、本出願の一般原理に従い、本出願において開示されない技術分野における共通知識または共通使用される技術的手段を含む。本明細書および実施は、単なる例と考えられる。本出願の実際の範囲および趣旨は、以下の特許請求の範囲によって指摘される。
【０１１７】
本出願は、上述され、添付図面に示された正確な構造に限定されず、本出願の範囲から逸脱することなく様々な修正および変更が行われ得ると理解されるべきである。本出願の範囲は、添付特許請求の範囲のみにより限定される。
【符号の説明】
【０１１８】
11  背景領域
12  プロファイル画像領域
91  第1の受信ユニット
92  第1の表示ユニット
101  モニタリングユニット
102  第1の判断ユニット
103  第1の送信ユニット
111  第1の受信ユニット
112  第1の送信ユニット
【図１】
2020503634.tif 000003
【図２】
2020503634.tif 000004
【図３】
2020503634.tif 000005
【図４】
2020503634.tif 000006
【図５】
2020503634.tif 000007
【図６】
2020503634.tif 000008
【図７】
2020503634.tif 000009
【図８】
2020503634.tif 000010
【図９】
2020503634.tif 000011
【図１０】
2020503634.tif 000012
【図１１】
2020503634.tif 000013
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
個人ホームページを表示する方法であって、
第1のユーザの第1のユーザデバイスによって、サーバにより提供される個人ホームページの第2のユーザの現在のアクティビティ状態情報であって、現在のアクティビティテーマ画像または現在のアクティビティテーマビデオを含む現在のアクティビティ状態情報を受信するステップであって、前記第1のユーザデバイスが、前記第2のユーザの第2のユーザデバイスとソーシャルネットワークを介して通信する、ステップと、
前記第1のユーザの前記第1のユーザデバイスによって、前記現在のアクティビティ状態情報を前記個人ホームページの背景領域に表示するステップと、
を含む、方法。
【請求項２】
前記サーバによって提供され、前記現在のアクティビティ状態情報に結合されているリンクアドレスを受信するステップと、
前記現在のアクティビティ状態情報に対するビュー動作が検出されるときに、前記ビュー動作に基づいて、前記個人ホームページから前記リンクアドレスに対応するページに切り替えるステップと、
をさらに含む、請求項1に記載の方法。
【請求項３】
前記ビュー動作が、前記個人ホームページの前記背景領域に対するタップ動作またはタッチ動作である、請求項2に記載の方法。
【請求項４】
前記現在のアクティビティ状態情報を表すために使用されるテーマテキストを、前記個人ホームページのプロファイル画像領域外の特定位置に表示するステップをさらに含む、請求項1に記載の方法。
【請求項５】
実行状態にある各ローカルアプリケーションをモニタリングして、モニタリング結果を取得するステップと、
前記モニタリング結果に基づいて、前記個人ホームページの前記第1のユーザの第1の現在のアクティビティ状態情報を判断するステップと、
前記第1の現在のアクティビティ状態情報を前記サーバに送信するステップと、
をさらに含む、請求項1に記載の方法。
【請求項６】
前記モニタリング結果に基づいて、前記第1の現在のアクティビティ状態情報に対応するリンクアドレスを判断するステップと、
前記リンクアドレスを前記サーバに送信するステップと、
をさらに含む、請求項5に記載の方法。
【請求項７】
前記第2のユーザデバイスが、前記第1の現在のアクティビティ状態情報を前記個人ホームページの前記背景領域に表示するように、前記第1の現在のアクティビティ状態情報を前記第2のユーザに送信するステップをさらに含む、請求項6に記載の方法。
【請求項８】
前記第2のユーザデバイスによって送信され、前記現在のアクティビティ状態情報に対応する、第2のリンクアドレスを受信するステップと、
前記現在のアクティビティ状態情報を結合リンクアドレスとして前記第2のリンクアドレスに結合するステップと、
前記結合リンクアドレスを前記第1のユーザデバイスに送信するステップと、
をさらに含む、請求項7に記載の方法。
【請求項９】
前記個人ホームページの前記第2のユーザが、現在のアクティビティ状態を表示するかどうかを独立して制御するように、前記個人ホームページが、個人状態表示モードを有効化または無効化するように構成される制御ボタンを提供する、請求項7に記載の方法。
【請求項１０】
前記現在のアクティビティ状態情報を受信するステップが、
前記個人ホームページの前記個人状態表示モードが有効であるかどうかを判断するステップと、
前記個人ホームページの前記個人状態表示モードが有効であるとの判断に応答して、前記第2のユーザデバイスによって送信される前記個人ホームページの前記第2のユーザの前記現在のアクティビティ状態情報を受信するステップと、
を含む、請求項9に記載の方法。
【請求項１１】
個人ホームページを表示する装置であって、請求項1〜10のいずれか一項の方法を実行するように構成される複数のモジュールを備える、装置。
【国際調査報告】
2020503634.tif 000014
2020503634.tif 000015
2020503634.tif 000016
2020503634.tif 000017